(57)【要約】【課題】製造コストの増加を抑制しながらも、表示パネルの視野角を変更可能な視野角変更フィルム、及び、電子機器を提供する。【解決手段】視野角変更フィルム１は、ＬＣＤモジュール６１に対向配置されＬＣＤモジュール６１の視野角を変更するベースフィルム２と、厚さがベースフィルム２よりも小さく、ＬＣＤモジュール６１と、ＬＣＤモジュール６１の周縁を覆うベゼル６６と、の間に形成された空隙７１，７２に挿入される取付部３１，３２と、を備える。取付部３１，３２は、ベースフィルム２と別体に形成され、ベースフィルム２に対して固定されている。【選択図】図３
2018200460.tif 000002
【特許請求の範囲】
【請求項１】
電子機器の表示パネルに取り付けられる視野角変更フィルムであって、
前記表示パネルに対向配置され前記表示パネルの視野角を変更するベースフィルムと、
厚さが前記ベースフィルムよりも小さく、前記表示パネルと、前記表示パネルの周縁を覆うベゼルと、の間に形成された空隙に挿入される取付部と、を備え、
前記取付部は、前記ベースフィルムと別体に形成され、前記ベースフィルムに対して固定されている、視野角変更フィルム。
【請求項２】
光透過性を有し、厚さが前記ベースフィルムよりも小さく、且つ、正面視で外形が前記ベースフィルムよりも大きい取付フィルムを備え、
前記ベースフィルムは、前記取付フィルムに積層され、
前記取付フィルムは、前記ベースフィルムの端部よりも外方に前記取付部を有する、請求項１に記載の視野角変更フィルム。
【請求項３】
前記ベースフィルムは、その略全体が前記取付フィルムに固定されている、請求項２に記載の視野角変更フィルム。
【請求項４】
前記ベースフィルムは、光学粘着剤を介して前記取付フィルムに接着されている、請求項２又は３に記載の視野角変更フィルム。
【請求項５】
前記取付部は、前記ベースフィルムの端部よりも外方に突出する複数の突出片を有し、
前記複数の突出片は、互いに近接して配置されている、請求項１から４のいずれか一項に記載の視野角変更フィルム。
【請求項６】
前記取付部は、前記複数の突出片の先端よりも前記ベースフィルム側の位置で前記複数の突出片を連結する連結部を有している、請求項５に記載の視野角変更フィルム。
【請求項７】
前記連結部は、前記突出片と連結される端部において幅広となるように湾曲している、請求項６に記載の視野角変更フィルム。
【請求項８】
前記取付部は、複数設けられ、前記ベースフィルムの周縁に沿って互いに離間して配置されている、請求項１から７のいずれか一項に記載の視野角変更フィルム。
【請求項９】
前記取付部は、前記ベースフィルムの一辺の中央部からオフセットした位置に配置されている、請求項８に記載の視野角変更フィルム。
【請求項１０】
前記取付部は、前記ベースフィルムの少なくとも３つの辺と対応する位置に設けられている、請求項８に記載の視野角変更フィルム。
【請求項１１】
前記ベースフィルムは、所定方向にのみ光を透過させる機能フィルムと、光透過性を有し前記機能フィルムを覆う表面保護フィルムと、を有している、請求項１から１０のいずれか一項に記載の視野角変更フィルム。
【請求項１２】
前記ベースフィルムは、光透過性を有し前記機能フィルムを挟んで前記表面保護フィルムと対向する裏面保護フィルムを有している、請求項１１に記載の視野角変更フィルム。
【請求項１３】
前記取付部は、前記機能フィルムを挟んで前記表面保護フィルムと対向し、前記機能フィルムに対して固定されている、請求項１１に記載の視野角変更フィルム。
【請求項１４】
表示パネルと、
前記表示パネルの周縁を覆うベゼルと、
前記表示パネルに対向配置され前記表示パネルの視野角を変更するベースフィルムと、厚さが前記ベースフィルムよりも小さく、前記表示パネルと前記ベゼルとの間に形成された空隙に挿入される取付部と、を有する視野角変更フィルムと、を備え、
前記ベースフィルムは、前記取付部と別体に形成され、前記取付部に対して固定されている、電子機器。
【請求項１５】
前記ベゼルは、前記空隙に配置される接着層を介して前記表示パネルに接着されている、請求項１４に記載の電子機器。
【請求項１６】
前記接着層は、前記表示パネルの周縁に沿って複数設けられ、
前記取付部は、互いに隣り合う前記接着層の間に形成された空隙に挿入されている、請求項１５に記載の電子機器。
【発明の詳細な説明】
【技術分野】
【０００１】
本発明は、電子機器の表示パネルに取り付けられる視野角変更フィルム、及び、電子機器に関する。
【背景技術】
【０００２】
電子機器の表示パネルに取り付けられるフィルムが普及している。例えば、特許文献１には、ノートブック型パーソナルコンピュータ（以下「ノートパソコン」という。）の表示パネルを保護する保護フィルムが開示されている。当該保護フィルムは、その端部に、周囲よりも厚さが小さい差し込み代を有している。当該差し込み代がノートパソコンの表示パネルとベゼルとの間の空隙に挿入されることにより、保護フィルムが表示パネルに対向配置される。
【先行技術文献】
【特許文献】
【０００３】
【特許文献１】登録実用新案第３０６２９４６号公報
【発明の概要】
【発明が解決しようとする課題】
【０００４】
本発明者らは、このような態様のフィルムに、表示パネルの視野角（つまり、使用者の視線が表示パネルに対して成す角度であり、表示パネルの表示内容を目視可能な範囲。）を変更する機能を具備させることを検討した。視野角変更フィルムは、例えば、表示パネルに正対する方向からはその表示内容を容易に目視可能とし、表示パネルに対して傾斜する方向からは表示内容を目視し難くする。このような視野角の変更により、表示パネルの表示内容が他人に覗き見られることを防止できる。
【０００５】
しかしながら、特許文献１記載の保護フィルムのように、部分的に厚さが小さくなるように成形又は加工すると、製造コストの増加を招くおそれがある。また、視野角変更フィルム全体の厚さを小さくし、その端部を表示パネルとベゼルとの間の空隙に挿入可能にしようとすると、視野角を変更する機能を担保できなくなるおそれがある。
【０００６】
そこで、本発明は、製造コストの増加を抑制しながらも、表示パネルの視野角を変更可能な視野角変更フィルム、及び、電子機器を提供することを目的とする。
【課題を解決するための手段】
【０００７】
上記課題を解決するために、一態様の視野角変更フィルムは、表示パネルに対向配置され表示パネルの視野角を変更するベースフィルムと、厚さがベースフィルムよりも小さく、表示パネルと、表示パネルの周縁を覆うベゼルと、の間に形成された空隙に挿入される取付部と、を備える。取付部は、ベースフィルムと別体に形成され、ベースフィルムに対して固定されている。
【０００８】
一態様の電子機器は、表示パネルと、表示パネルの周縁を覆うベゼルと、表示パネルに対向配置され表示パネルの視野角を変更するベースフィルムと、厚さがベースフィルムよりも小さく、表示パネルとベゼルとの間に形成された空隙に挿入される取付部と、を有する視野角変更フィルムと、を備える。ベースフィルムは、取付部と別体に形成され、取付部に対して固定されている。
【０００９】
この態様によれば、取付部はベースフィルムと別体に形成されているため、ベースフィルムの一部の厚さを小さくするような複雑な成形や加工を施すことなく、取付部を設けることができる。
【発明の効果】
【００１０】
本発明によれば、製造コストの増加を抑制しながらも、表示パネルの視野角を変更可能な視野角変更フィルム、及び、電子機器を提供することができる。
【図面の簡単な説明】
【００１１】
【図１】第１実施形態に係る視野角変更フィルム及びノートパソコンを示す斜視図である。
【図２】図１の視野角変更フィルムを示す分解図である。
【図３】図１の視野角変更フィルム及びノートパソコンを示す正面図である。
【図４】図２のＩＶ−ＩＶ断面を示す断面図である。
【図５】図２のＶ−Ｖ断面を示す断面図である。
【図６】比較のための他の実施形態に係る視野角変更フィルム及びノートパソコンを示す正面図である。
【図７】第２実施形態に係る視野角変更フィルムを示す分解図である。
【図８】図７のＶＩＩＩ部を示す拡大図である。
【図９】図７の視野角変更フィルム及びノートパソコンを示す正面図である。
【発明を実施するための形態】
【００１２】
添付図面を参照して、本発明の好適な実施形態について説明する。本発明に係る視野角変更フィルムは、例えば、ノートパソコン、デスクトップ型のパーソナルコンピュータ、サーバ、タブレット型コンピュータ、スマートフォン等、種々の電子機器に適用可能である。
【００１３】
以下の実施形態は、本発明に係る視野角変更フィルムをノートパソコンに適用した例である。なお、各添付図面においては、同一又は同様の部材には、同一の符号を付している。
【００１４】
まず、図１を参照しながら、第１実施形態に係る視野角変更フィルム１及びノートパソコン１０の概要について説明する。図１は、視野角変更フィルム１及びノートパソコン１０を示す斜視図である。ノートパソコン１０は、本体５と、蓋体６とを有している。
【００１５】
本体５は、扁平な箱形状を呈する筐体５０を有している。筐体５０は、上カバー５１と、下カバー５２とを互いに対向させて取り付けることにより構成されている。筐体５０の内部には、不図示の基板、ＣＰＵ、メモリ、ＨＤＤやＳＤＤ、バッテリ等が収容されている。筐体５０の上カバー５１側には、キーボード５４やタッチパット５６等の入力手段が設けられている。
【００１６】
蓋体６は、本体５の後端にヒンジを介して接続され、本体５に対して開閉可能に構成されている。蓋体６は、ＬＣＤモジュール６１と、カメラレンズ６２と、ベゼル６６と、を有している。
【００１７】
ＬＣＤモジュール６１は、表示パネルの一例であり、グラフィックス・コントローラから受信する制御信号等に基づいて各種情報を表示する。ＬＣＤモジュール６１の外形は正面視で長方形を呈している。
【００１８】
ベゼル６６は長方形の枠体であり、その枠内を介してＬＣＤモジュール６１を露出させている。カメラレンズ６２は、撮影装置であるカメラの一要素であり、ベゼル６６の幅方向の略中央部に配置されている。
【００１９】
ノートパソコン１０には、視野角変更フィルム１が取り付けられている。後述するように、視野角変更フィルム１は、ＬＣＤモジュール６１の視野角（つまり、使用者の視線がＬＣＤモジュール６１に対して成す角度であり、ＬＣＤモジュール６１の表示内容を目視可能な範囲。）を変更する機能を有している。視野角変更フィルム１は、ＬＣＤモジュール６１を覆うように取り付けられる。ノートパソコン１０の使用者は、この視野角変更フィルム１を介してＬＣＤモジュール６１の表示内容を目視する。
【００２０】
次に、図２を参照しながら、視野角変更フィルム１の構成について説明する。図２は、視野角変更フィルムを示す分解図である。視野角変更フィルム１は、ベースフィルム２と、取付フィルム３と、光学粘着剤４と、を備えている。
【００２１】
ベースフィルム２は、視野角の変更を担う部材である。ベースフィルム２の外形は正面視で長方形を呈しており、そのサイズはベゼル６６（図１参照）の枠内と略同一である。ベースフィルム２の厚さは０．３５ｍｍ程度である。
【００２２】
ベースフィルム２は、表面保護フィルム２ａと、機能フィルム２ｂと、裏面保護フィルム２ｃと、を積層させることにより構成されている。表面保護フィルム２ａ及び裏面保護フィルム２ｃは、ポリエチレンテレフタレート、ポリスチレン、ポリプロピレン、アクリル等、可視光を透過させ、可撓性を有する熱可塑性樹脂を基材として形成されている。表面保護フィルム２ａ及び裏面保護フィルム２ｃは、機能フィルム２ｂを挟んで保護するとともに、ベースフィルム２の剛性を担保している。機能フィルム２ｂは、その内部に複数のルーバ（不図示）を有している。各ルーバは、可視光を透過させない材料により、直線的に延びるリブ状に形成されている。複数のルーバは、互いに間隔を空けて平行となるように配置されており、各ルーバの間には、可視光を透過させ粘着力を有する中間材（不図示）が配置されている。表面保護フィルム２ａ及び裏面保護フィルム２ｃは、当該中間材の粘着力により、機能フィルム２ｂの一側面と他側面とに粘着している。このような構成により、機能フィルム２ｂは、ルーバに遮られない方向にのみ光を透過させる。
【００２３】
取付フィルム３は、視野角変更フィルム１の取り付けを担う部材である。ベースフィルム２は、この取付フィルム３に積層されている。取付フィルム３は、ポリエチレンテレフタレート、ポリスチレン、ポリプロピレン、アクリル等、可視光を透過させ、可撓性を有する熱可塑性樹脂を基材として形成されている。取付フィルム３は、矩形部３ａと、複数の取付部３１，３２と、を有している。
【００２４】
矩形部３ａは、外形が正面視で長方形を呈する部分である。矩形部３ａの縦方向及び横方向の寸法は、ベースフィルム２のものと略同一である。
【００２５】
取付部３１，３２は、取付フィルム３の端部に設けられている突起である。取付部３１，３２は、矩形部３ａの端部から外方に突出するように形成されている。つまり、取付フィルム３の外形は、取付部３１，３２の分だけ、ベースフィルム２の外形よりも大きい。
【００２６】
取付部３１は、矩形部３ａの各長辺に２つずつ設けられ、取付部３２は、矩形部３ａの各短辺に設けられている。取付部３１，３１は、互いに間隔を空けて配置されるとともに、矩形部３ａの長辺の中央部からオフセットした位置に配置されている。取付部３２，３２も、互いに間隔を空けて配置されている。取付部３１を矩形部３ａの長辺に３つ以上設けたり、取付部３２を矩形部３ａの短辺に３つ以上設けたりすることもできる。
【００２７】
このような矩形部３ａ及び取付部３１，３２を有する取付フィルム３は、厚さが一様の薄膜状の材料を、その厚さ方向に打ち抜くことにより形成されている。このため、矩形部３ａと取付部３１，３２とは一体的に形成されており、それらの厚さは互いに等しい。詳細には、取付フィルム３の厚さは０．１５ｍｍ程度で一様である。つまり、取付フィルム３の厚さは、ベースフィルム２の厚さ（０．３５ｍｍ程度）よりも小さい。
【００２８】
光学粘着剤４は、ＯＣＡ（Optically Clear Adhesive）や ＯＣＲ(Optically Clear Resin)とも称され、可視光を透過させる薄膜状の部材である。光学粘着剤４の外形は正面視で長方形を呈している。光学粘着剤４の縦方向及び横方向の寸法は、ベースフィルム２のものと略同一である。光学粘着剤４の厚さは０．０５ｍｍ程度で一様である。つまり、光学粘着剤４の厚さは、ベースフィルム２の厚さ（０．３５ｍｍ程度）や取付フィルム３の厚さ（０．１５ｍｍ程度）よりも小さい。
【００２９】
光学粘着剤４は、ベースフィルム２と取付フィルム３との間に配置される。光学粘着剤４は、その一側面においてベースフィルム２と接着しており、他側面において取付フィルム３と接着している。すなわち、ベースフィルム２は、光学粘着剤４を介して取付フィルム３に対して接着されている。
【００３０】
前述したように、ベースフィルム２、取付フィルム３の矩形部３ａ、及び光学粘着剤４は、その縦方向及び横方向の寸法が互いに略等しい。ベースフィルム２、取付フィルム３の矩形部３ａ、及び光学粘着剤４は、正面視で外形線が略一致するように配置されている。これにより、ベースフィルム２は、その略全体が光学粘着剤４を介して取付フィルム３に固定されている。取付フィルム３の取付部３１，３２は、取付フィルム３に固定されたベースフィルム２の端部よりも外方に位置している（図１参照）。
【００３１】
次に、図３から図５を参照しながら、ＬＣＤモジュール６１への視野角変更フィルム１の取り付けについて説明する。図３は、視野角変更フィルム１及びノートパソコン１０を示す正面図であり、ノートパソコン１０の蓋体６の周辺を示している。図４は、図２のＩＶ−ＩＶ断面を示す断面図である。図５は、図２のＶ−Ｖ断面を示す断面図である。理解を容易にするため、図４及び図５では、取付フィルム３や光学粘着剤４の厚さは実際よりも若干大きく図示されている。
【００３２】
図４に示されるように、ノートパソコン１０の蓋体６は、Ａカバー６３と、Ｂカバー６４と、ベゼル６６とを有している。Ａカバー６３、Ｂカバー６４及びベゼル６６は、蓋体６の外殻を構成する部材である。Ａカバー６３とＢカバー６４とは互いに間隔を空けて配置されており、それらの間には、アンテナモジュール６７やアルミシート６８等の部品が配置されている。
【００３３】
ベゼル６６は、Ｂカバー６４の正面側に配置されている。前述したように、ベゼル６６は、中央部が開放された長方形の枠体である。ベゼル６６は、薄膜状の接着テープ６５を介してＢカバー６４に接着されている。
【００３４】
ベゼル６６とＡカバー６３との間には、ＬＣＤモジュール６１が配置されている。ＬＣＤモジュール６１は、その周縁がベゼル６６によって覆われている。ＬＣＤモジュール６１の周縁とベゼル６６との間には、空隙７が形成されている。
【００３５】
図３に示されるように、空隙７には、複数の接着シート８１，８２が配置されている。複数の接着シート８１，８２は、接着層の一例である。図３では、ベゼル６６の背面側に配置されている接着シート８１，８２や、取付部３１，３２が破線により示されている。接着シート８１は、ＬＣＤモジュール６１の長辺に沿って延びるように配置され、接着シート８２は、ＬＣＤモジュール６１の短辺に沿って延びるように配置されている。ベゼル６６は、接着シート８１，８２を介して、ＬＣＤモジュール６１の周縁の数か所に接着されている。
【００３６】
複数の接着シート８１は、互いに間隔を空けて配置されている。隣り合う接着シート８１，８１の間には、空隙７１が形成されている。空隙７１は、空隙７のうち、接着シート８１，８１の間に位置する部位である。空隙７１は、ＬＣＤモジュール６１の各長辺と対応する部位に設けられている。空隙７１の幅寸法は、取付部３１の幅寸法よりも若干大きい。空隙７１，７１の間隔は、取付部３１，３１の間隔と略同一である。
【００３７】
同様に、複数の接着シート８２も、互いに間隔を空けて配置されている。隣り合う接着シート８２，８２の間には、空隙７２が形成されている。空隙７２は、空隙７のうち、接着シート８２，８２の間に位置する部位である。空隙７２は、ＬＣＤモジュール６１の各短辺と対応する部位に設けられている。空隙７２の幅寸法は、取付部３２の幅寸法よりも若干大きい。空隙７２，７２の間隔は、取付部３２，３２の間隔と略同一である。
【００３８】
視野角変更フィルム１の取り付けの際は、図３及び図５に示されるように、取付部３１が空隙７１に挿入される。さらに、取付部３２が空隙７２に挿入される。視野角変更フィルム１を撓ませることにより、全ての取付部３１，３２を空隙７１，７２に挿入させることができる。撓んだ視野角変更フィルム１が元の形状に復元すると、取付部３１，３２の挿入が完了する。
【００３９】
空隙７１，７２への挿入が完了した取付部３１，３２は、ベゼル６６に係止する。この結果、視野角変更フィルム１はノートパソコン１０に対して固定される。視野角変更フィルム１のベースフィルム２は、取付フィルム３及び光学粘着剤４を挟んでＬＣＤモジュール６１と対向配置される。
【００４０】
ノートパソコン１０の使用者は、ベースフィルム２、光学粘着剤４及び取付フィルム３を介してＬＣＤモジュール６１の表示内容を確認する。使用者が、ベースフィルム２に対して略垂直な法線Ｎ（図１参照）に沿う方向からＬＣＤモジュール６１を目視する場合、視野角変更フィルム１は、ＬＣＤモジュール６１の表示内容を容易に目視可能とする。詳細には、使用者は、ベースフィルム２の内部に配置されている複数のルーバに視線を遮られることなく、ＬＣＤモジュール６１の表示内容を目視することができる。さらに詳細には、使用者は、複数のルーバ間の隙間を介して、ＬＣＤモジュール６１の表示内容を目視することができる。
【００４１】
これに対し、使用者が、法線Ｎに対して角度θ以上傾斜する方向からＬＣＤモジュール６１を目視する場合（つまり、図１の直線Ｌよりも外方からＬＣＤモジュール６１を目視する場合）、使用者の視線はベースフィルム２のルーバによって遮られる。具体的には、使用者にはベースフィルム２が黒く見え、ＬＣＤモジュール６１の表示内容を目視できなくなる。すなわち、視野角変更フィルム１は、ＬＣＤモジュール６１の視野角を狭くする。このような視野角の変更により、ＬＣＤモジュール６１の表示内容が他人によって覗き見られることを防止できる。
【００４２】
次に、視野角変更フィルム１及びノートパソコン１０の作用効果について説明する。
【００４３】
視野角変更フィルム１の態様によれば、取付部３１，３２はベースフィルム２と別体に形成されているため、ベースフィルム２の一部の厚さを小さくするような複雑な成形や加工を施すことなく、取付部３１，３２を設けることができる。
【００４４】
ここで、図６を参照しながら、比較のための他の実施形態に係る視野角変更フィルム１Ａ及びノートパソコン１０Ａについて説明する。図６は、他の実施形態に係る視野角変更フィルム１Ａ及びノートパソコン１０Ａを示す正面図であり、ノートパソコン１０Ａの蓋体６の周辺を示している。視野角変更フィルム１Ａ及びノートパソコン１０Ａの構成のうち、前述した視野角変更フィルム１及びノートパソコン１０の構成と同一のものには同一の符号を付し、その説明を適宜省略する。
【００４５】
視野角変更フィルム１Ａは、その取付部３１Ａ，３２Ａの形状が、前述した取付部３１，３２と異なる。具体的には、取付部３１Ａ，３２Ａは、取付部３１，３２のように矩形部３ａと一体的に形成されたものではない。他の実施形態に係る取付部３１Ａ，３２Ａは、互いに独立した小片である。すなわち、視野角変更フィルム１Ａは、矩形部３ａを備えていない。
【００４６】
取付部３１Ａ，３２Ａは、その一部がベースフィルム２に接着され、他部がベースフィルム２から外方に突出するように配置されている。当該取付部３１Ａ，３２Ａの他部が空隙７１，７２に挿入され、ベゼル６６に係止することにより、視野角変更フィルム１Ａはノートパソコン１０Ａに対して固定される。
【００４７】
このような形態においても、ベースフィルム２に複雑な成形や加工を施すことなく、視野角変更フィルム１Ａをノートパソコン１０Ａに取り付けることが可能になる。しかしながら、一点鎖線３１０Ａ，３２０Ａで示されるように、取付部３１Ａ，３２Ａの外形が使用者に目視されてしまう。詳細には、取付部３１Ａ，３２Ａのうち、ベースフィルム２に接着された部位の外形が、ベースフィルム２を介して使用者に目視されてしまう。このため、視野角変更フィルム１Ａやノートパソコン１０Ａの意匠性が損なわれたり、使用者がＬＣＤモジュール６１の表示内容を目視する際に邪魔になったりするという点で、改善の余地がある。
【００４８】
これに対し、第１実施形態に係る視野角変更フィルム１及びノートパソコン１０は、光透過性を有し、厚さがベースフィルム２よりも小さく、且つ、正面視で外形がベースフィルム２よりも大きい取付フィルム３を備える。ベースフィルム２は、取付フィルム３に積層される。取付フィルム３は、ベースフィルム２の端部よりも外方に取付部３１，３２を有する。
【００４９】
この態様によれば、取付部３１，３２を構成する部材の外形が、ベースフィルム２を介して使用者に目視されることはない。この結果、視野角変更フィルム１及びノートパソコン１０の意匠性が損なわれたり、ＬＣＤモジュール６１の表示内容を目視する際に邪魔になったりすることを防止できる。
【００５０】
ベースフィルム２は、その略全体が取付フィルム３に固定されている。
【００５１】
この態様によれば、視野角変更フィルム１の使用中に、ベースフィルム２が撓むことを抑制できる。この結果、ベースフィルム２が撓むことによって使用者による目視が阻害されてしまうことを抑制できる。
【００５２】
ベースフィルム２は、光学粘着剤４を介して取付フィルム３に接着されている。
【００５３】
前述したように、光学粘着剤４は可視光を透過させる。したがって、この態様によれば、使用者によるＬＣＤモジュール６１の目視を阻害することなく、ベースフィルム２の略全体を取付フィルム３に固定することができる。
【００５４】
取付部３１，３２は、複数設けられ、取付フィルム３の周縁に沿って互いに離間して配置されている。
【００５５】
この態様によれば、視野角変更フィルム１を撓ませることにより、空隙７１，７２に取付部３１，３２を挿入することができる。
【００５６】
取付部３１，３２は、取付フィルム３の一辺の中央部からオフセットした位置に配置されている。
【００５７】
ノートパソコン１０等の電子機器のベゼルの中央部には、使用者側を向くカメラレンズ等が配置されることが多い。取付部３１を、取付フィルム３の長辺の中央部からオフセットした位置に配置することにより、カメラレンズ等と干渉させることなく取付部３１を空隙７１に挿入することができる。取付部３１と干渉する部材がなければ、取付部３１を矩形部３ａの長辺の中央部にも設けたり、取付部３２を矩形部３ａの短辺の中央部にも設けたりすることもできる。
【００５８】
取付部３１，３２は、取付フィルム３の少なくとも３つの辺と対応する位置に設けられている。
【００５９】
この態様によれば、視野角変更フィルム１をＬＣＤモジュール６１と対向させた状態で脱落することなく固定するとともに、ＬＣＤモジュール６１からの視野角変更フィルム１の浮き上がりを抑制することができる。
【００６０】
ベースフィルム２は、所定方向にのみ光を透過させる機能フィルム２ｂと、光透過性を有し機能フィルム２ｂを覆う表面保護フィルム２ａと、を有している。
【００６１】
この態様によれば、機能フィルム２ｂにより視野角を変更しつつ、表面保護フィルム２ａによりベースフィルム２の剛性を担保することができる。
【００６２】
ベースフィルム２は、光透過性を有し機能フィルム２ｂを挟んで表面保護フィルム２ａと対向する裏面保護フィルム２ｃを有している。
【００６３】
この態様によれば、機能フィルム２ｂの機能を阻害することなく、ベースフィルム２の剛性を向上させることができる。
【００６４】
前述した第１実施形態では、視野角変更フィルム１は、ノートパソコン１０とは別に提供されるものとしている。しかしながら、視野角変更フィルム１は、ノートパソコン１０を構成する一部品であってもよい。
【００６５】
このようなノートパソコン１０の態様によれば、取付部３１，３２はベースフィルム２と別体に形成されているため、ベースフィルム２の一部の厚さを小さくするような複雑な成形や加工を施すことなく、取付部３１，３２を設けることができる。
【００６６】
ベゼル６６は、空隙７に配置される接着シート８１，８２を介してＬＣＤモジュール６１に接着されている。
【００６７】
この態様によれば、接着シート８１，８２によりベゼル６６をＬＣＤモジュール６１に固定し、外力が作用した際にベゼル６６が捲れ上がることを防止することができる。換言すると、接着シート８１，８２を配置するために形成される空隙７を、取付部３１，３２の挿入に使用することができる。
【００６８】
接着シート８１，８２は、ＬＣＤモジュール６１の周縁に沿って複数設けられている。取付部３１は、互いに隣り合う接着シート８１，８１の間に形成された空隙７１に挿入され、取付部３２は、互いに隣り合う接着シート８２，８２の間に形成された空隙７２に挿入されている。
【００６９】
この態様によれば、接着シート８１，８２によりベゼル６６をＬＣＤモジュール６１に固定しながらも、取付部３１，３２を挿入する空隙７１，７２を形成することができる。
【００７０】
上記第１実施形態において、ベースフィルム２は、表面保護フィルム２ａと、機能フィルム２ｂと、裏面保護フィルム２ｃと、を積層させることにより構成されている。しかしながら、本発明はこの形態に限定されない。例えば、表面保護フィルム２ａと、機能フィルム２ｂのみを積層させることによってベースフィルムを構成するとともに、光学粘着剤４を介して当該ベースフィルムを取付フィルム３に対して接着することにより、視野角変更フィルムを構成することもできる。
【００７１】
次に、第２実施形態に係る視野角変更フィルム１Ｂについて、図７から図９を参照しながら説明する。図７は、視野角変更フィルム１Ｂを示す分解図である。図８は、図７のＶＩＩＩ部を示す拡大図である。図９は、視野角変更フィルム１Ｂ及びノートパソコンを示す正面図である。図９は、視野角変更フィルム１Ｂ及びノートパソコンのうち、後述する取付部３３の周辺の部位を拡大して示している。
【００７２】
視野角変更フィルム１Ｂは、第１実施形態と同様に、ノートパソコンに適用される。視野角変更フィルム１Ｂの構成のうち、第１実施形態と同一の構成については同一の符号を付して、説明を適宜省略する。
【００７３】
視野角変更フィルム１Ｂのベースフィルム２０は、表面保護フィルム２ａと、機能フィルム２ｂと、を積層させることにより構成されている。つまり、ベースフィルム２０は、第１実施形態に係るベースフィルム２と異なり、裏面保護フィルム２ｃ（図２参照）を備えていない。
【００７４】
ベースフィルム２０は、取付フィルム３０に積層されている。取付フィルム３０は、機能フィルム２ｂを挟んで表面保護フィルム２ａと対向しており、前述した中間材の粘着力により、機能フィルム２ｂに粘着している。取付フィルム３０は、矩形部３ａと、複数の取付部３３，３４と、を有している。
【００７５】
取付部３３，３４は、取付フィルム３の端部に設けられている突起である。取付部３３，３４は、矩形部３ａの端部から外方に突出するように形成されている。つまり、取付フィルム３の外形は、取付部３３，３４の分だけ、ベースフィルム２０の外形よりも大きい。取付部３３は、矩形部３ａの一方の長辺に２つ設けられ、他方の長辺に３つ設けられる。取付部３４は、矩形部３ａの各短辺に１つずつ設けられている。取付部３３を矩形部３ａの長辺に３つ又は４つ以上設けたり、取付部３４を矩形部３ａの短辺に２つ以上設けたりすることもできる。
【００７６】
このように、視野角変更フィルム１Ｂは、前述した第１実施形態に係る視野角変更フィルム１と異なり、裏面保護フィルム２ｃや光学粘着剤４（図２参照）を備えていない。このため、視野角変更フィルム１Ｂは、薄肉化や軽量化の点で、視野角変更フィルム１よりも有利である。
【００７７】
視野角変更フィルム１Ｂは、表面保護フィルム２ａ及び機能フィルム２ｂと、それらよりも取付部３３，３４の分だけ予め大きく形成されたベースフィルム２０と、を積層することにより製造することができる。この他にも、同一形状の表面保護フィルム２ａ、機能フィルム２ｂ及びベースフィルム２０を積層し、取付部３３，３４に相当する部分の表面保護フィルム２ａ及び機能フィルム２ｂを除去することにより取付部３３，３４を形成して、ベースフィルム２０を製造することもできる。
【００７８】
図８に示されるように、取付部３３は、突出片３６，３７と、連結部３８と、を有している。突出片は１つの取付部に対して３つ以上であってもよい。また、説明を省略するが、取付部３４も、同様に複数の突出片と、それらを連結する連結部とを有している。
【００７９】
突出片３６，３７は、矩形部３ａの端部から外方に突出している。図８は、取付フィルム３０に積層されたベースフィルム２０を鎖線により示している。突出片３６，３７は、このベースフィルム２０の端部よりも外方に突出している。突出片３６，３７は、隙間（例えば、１ｍｍ程度）を隔てて互いに近接して配置されている。
【００８０】
連結部３８は、突出片３６と突出片３７との間の隙間に配置され、両者を連結している。詳細には、連結部３８は、突出片３６，３７の先端よりもベースフィルム２０側で、且つ、ベースフィルム２０の端部よりも外方の位置で、隙間を跨ぐように両者を連結している。連結部３８は湾曲しており、その縁部は略Ｕ字形状を呈している。連結部３８のうち、突出片３６，３７と連結する端部３９は、連結部３８の他部と比較して幅広となっている。すなわち、連結部３８は、突出片３６，３７との間で、断面積が徐々に変化するように形成されている。
【００８１】
視野角変更フィルム１Ｂが取り付けられるノートパソコンも、第１実施形態に係るノートパソコン１０と同様に、取付部３３，３４と対応する位置に空隙７１，７２が形成されているものとする。ノートパソコンへの視野角変更フィルム１Ｂの取り付けの際は、図９に示されるように、取付部３３が空隙７１に挿入される。さらに、取付部３４が空隙７２（図３参照）に挿入される。視野角変更フィルム１Ｂを撓ませることにより、全ての取付部３３，３４を空隙７１，７２に挿入させることができる。撓んだ視野角変更フィルム１が元の形状に復元すると、取付部３３，３４の挿入が完了し、取付部３３，３４はベゼル６６に係止する。
【００８２】
このとき、取付部３３は、突出片３６，３７に加えて、連結部３８においてもベゼル６６に係止する。視野角変更フィルム１Ｂをノートパソコンに対して確実に固定するためには、このような広範囲にわたるベゼル６６への係止が有効である。このため、視野角変更フィルム１Ｂの固定の観点からは、取付部３３は十分な大きさを有していることが好ましい。
【００８３】
一方、視野角変更フィルム１Ｂをノートパソコンから取り外す際、使用者は、矩形部３ａの端部に手指を掛け、ＬＣＤモジュール６１（図１参照）から引き離すように力を印加する。比較的大型の取付部３３が用いられる場合、力の印加に伴い取付部３３が空隙７１から排出される際に、ベゼル６６と矩形部３ａとにより引っ張るような力が取付部３３に作用することがある。
【００８４】
しかしながら、取付部３３は、突出片３６，３７を有しているため、前述した力が作用した場合にも、突出片３６，３７の一方が他方に対して柔軟に変形することができる。さらに、連結部３８は、突出片３６，３７と連結される端部３９において幅広となるように湾曲しているため、突出片３６，３７と連結部３８との間における応力集中が抑制される。この結果、ノートパソコンから視野角変更フィルム１Ｂを取り外す際の、取付部３３の破損を抑制することが可能になる。取付部３３と同様の構成を有する取付部３４においても、同様の効果が発揮される。
【００８５】
上記第２実施形態において、ベースフィルム２０は、表面保護フィルム２ａと、機能フィルム２ｂと、を積層させることにより構成されている。しかしながら、本発明はこの形態に限定されない。例えば、上記第１実施形態と同様に、ベースフィルム２０が裏面保護フィルム２ｃ（図２参照）を備えているように構成されていてもよい。
【００８６】
また、上記第１実施形態の他の実施形態で説明（図６参照）したように、上記第２実施形態においても、視野角変更フィルム１Ｂが、矩形部３ａを備えず、取付部３３，３４を互いに独立した小片として、これらをベースフィルム２０に接着する構成にすることもできる。
【００８７】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００８８】
１，１Ａ，１Ｂ……視野角変更フィルム、２，２０……ベースフィルム、３，３０……取付フィルム、４……光学粘着剤、１０……ノートパソコン（電子機器）、３１，３２，３３，３４……取付部、３６，３７……突出片、３８……連結部、３９……端部、６１……ＬＣＤモジュール（表示パネル）、６６……ベゼル、７，７１，７１……空隙、８１，８２……接着シート（接着層）
【図１】
2018200460.tif 000003
【図２】
2018200460.tif 000004
【図３】
2018200460.tif 000005
【図４】
2018200460.tif 000006
【図５】
2018200460.tif 000007
【図６】
2018200460.tif 000008
【図７】
2018200460.tif 000009
【図８】
2018200460.tif 000010
【図９】
2018200460.tif 000011